(57)【特許請求の範囲】
【請求項１】
先行チャプタに続く後続チャプタを記録する際に動画像信号よりも音声信号の符号化を早く開始すべき時間に相当するオフセットを保持するオフセット保持手段と、
少なくとも前記後続チャプタがタイトルの先頭チャプタか否かを判別することによって前記先行チャプタと前記後続チャプタとの間でシームレス接続が可能か否を判別し、前記シームレス接続が可能であれば前記後続チャプタの直前の前記オフセットを前記オフセットの初期値とし、前記シームレス接続が不可能であればゼロを前記オフセットの初期値として設定する記録モード判別手段と、
前記動画像信号および前記音声信号の符号化の進行状況に応じて所定の処理単位毎に前記オフセットを更新するオフセット更新手段と、
前記オフセットに従って前記動画像信号および前記音声信号の符号化の開始または停止を指示する記録制御手段と
を具備することを特徴とする符号化制御装置。
【請求項２】
前記記録制御手段は、記録開始の際には前記オフセットに相当する時間だけ前記動画像信号よりも早く前記音声信号の符号化を開始し、記録停止の際には前記動画像信号および前記音声信号の各記録単位の符号化がそれぞれ終了した後に符号化を停止する
ことを特徴とする請求項１記載の符号化制御装置。
【請求項３】
前記オフセット更新手段は、前記オフセットに対して前記動画像信号の処理単位毎の通知に基づいた値を加えるとともに前記音声信号の処理単位毎の通知に基づいた値を減じることにより前記オフセットを更新することを特徴とする請求項１記載の符号化制御装置。
【請求項４】
前記音声信号の記録開始または記録停止の指示に従って前記音声信号の音量に関する制御を行うフェード制御手段
をさらに具備することを特徴とする請求項１記載の符号化制御装置。
【請求項５】
前記フェード制御手段は、記録開始時には消音状態からフェードインするよう前記音声信号の音量を制御し、記録停止時にはフェードアウトするよう前記音声信号の音量を制御する
ことを特徴とする請求項４記載の符号化制御装置。
【請求項６】
前記後続チャプタの直前の前記オフセットは、不揮発性メモリに保持されることを特徴とする請求項１記載の符号化制御装置。
【請求項７】
動画像信号を符号化する動画像符号化手段と、
音声信号を符号化する音声符号化手段と、
先行チャプタに続く後続チャプタを記録する際に前記動画像信号よりも前記音声信号の符号化を早く開始すべき時間に相当するオフセットを保持するオフセット保持手段と、
少なくとも前記後続チャプタがタイトルの先頭チャプタか否かを判別することによって前記先行チャプタと前記後続チャプタとの間でシームレス接続が可能か否を判別し、前記シームレス接続が可能であれば前記後続チャプタの直前の前記オフセットを前記オフセットの初期値とし、前記シームレス接続が不可能であればゼロを前記オフセットの初期値として設定する記録モード判別手段と、
前記動画像符号化手段および音声符号化手段における前記動画像信号および前記音声信号の符号化の進行状況に応じて所定の処理単位毎に前記オフセットを更新するオフセット更新手段と、
前記オフセットに従って前記動画像信号および前記音声信号の符号化の開始または停止を指示する記録制御手段と、
前記動画像符号化手段および音声符号化手段による前記動画像信号および前記音声信号の符号化出力を多重化する多重化手段と
を具備することを特徴とする符号化システム。
【請求項８】
先行チャプタに続く後続チャプタを記録する際に動画像信号よりも音声信号の符号化を早く開始すべき時間に相当するオフセットを保持するオフセット保持手段を備える符号化制御装置において、
少なくとも前記後続チャプタがタイトルの先頭チャプタか否かを判別することによって前記先行チャプタと前記後続チャプタとの間でシームレス接続が可能か否を判別する手順と、
前記シームレス接続が可能であれば前記先行チャプタにおいて更新された前記オフセットを前記オフセットの初期値とし、前記シームレス接続が不可能であればゼロを前記オフセットの初期値とする手順と、
前記音声信号の符号化を開始する手順と、
前記音声信号の符号化が開始されてから前記オフセットに相当する時間経過時に前記動画像信号の符号化を開始する手順と、
前記動画像信号および前記音声信号の符号化の進行状況に応じて所定の処理単位毎に前記オフセットを更新する手順と、
記録停止が指示されると前記音声信号および前記動画像信号の各記録単位の符号化がそれぞれ終了した後に符号化を停止する手順と
を具備することを特徴とする符号化制御方法。
【請求項９】
先行チャプタに続く後続チャプタを記録する際に動画像信号よりも音声信号の符号化を早く開始すべき時間に相当するオフセットを保持するオフセット保持手段を備える符号化制御装置において、
少なくとも前記後続チャプタがタイトルの先頭チャプタか否かを判別することによって前記先行チャプタと前記後続チャプタとの間でシームレス接続が可能か否を判別する手順と、
前記シームレス接続が可能であれば前記先行チャプタにおいて更新された前記オフセットを前記オフセットの初期値とし、前記シームレス接続が不可能であればゼロを前記オフセットの初期値とする手順と、
前記音声信号の符号化を開始する手順と、
前記音声信号の符号化が開始されてから前記オフセットに相当する時間経過時に前記動画像信号の符号化を開始する手順と、
前記符号化開始された前記音声信号の最初の記録単位について消音状態からフェードインするよう前記音声信号の音量を制御する手順と、
前記動画像信号および前記音声信号の符号化の進行状況に応じて所定の処理単位毎に前記オフセットを更新する手順と、
記録停止が指示されると前記音声信号および前記動画像信号の各記録単位の符号化がそれぞれ終了した後に符号化を停止する手順と、
前記符号化停止された前記音声信号の最後の記録単位についてフェードアウトするよう前記音声信号の音量を制御する手順と
を具備することを特徴とする符号化制御方法。
【請求項１０】
先行チャプタに続く後続チャプタを記録する際に動画像信号よりも音声信号の符号化を早く開始すべき時間に相当するオフセットを保持するオフセット保持手段を備える符号化制御装置において、
少なくとも前記後続チャプタがタイトルの先頭チャプタか否かを判別することによって前記先行チャプタと前記後続チャプタとの間でシームレス接続が可能か否を判別する手順と、
前記シームレス接続が可能であれば前記先行チャプタにおいて更新された前記オフセットを前記オフセットの初期値とし、前記シームレス接続が不可能であればゼロを前記オフセットの初期値とする手順と、
前記音声信号の符号化を開始する手順と、
前記音声信号の符号化が開始されてから前記オフセットに相当する時間経過時に前記動画像信号の符号化を開始する手順と、
前記動画像信号および前記音声信号の符号化の進行状況に応じて所定の処理単位毎に前記オフセットを更新する手順と、
記録停止が指示されると前記音声信号および前記動画像信号の各記録単位の符号化がそれぞれ終了した後に符号化を停止する手順と
をコンピュータに実行させることを特徴とするプログラム。
【請求項１１】
先行チャプタに続く後続チャプタを記録する際に動画像信号よりも音声信号の符号化を早く開始すべき時間に相当するオフセットを保持するオフセット保持手段を備える符号化制御装置において、
少なくとも前記後続チャプタがタイトルの先頭チャプタか否かを判別することによって前記先行チャプタと前記後続チャプタとの間でシームレス接続が可能か否を判別する手順と、
前記シームレス接続が可能であれば前記先行チャプタにおいて更新された前記オフセットを前記オフセットの初期値とし、前記シームレス接続が不可能であればゼロを前記オフセットの初期値とする手順と、
前記音声信号の符号化を開始する手順と、
前記音声信号の符号化が開始されてから前記オフセットに相当する時間経過時に前記動画像信号の符号化を開始する手順と、
前記符号化開始された前記音声信号の最初の記録単位について消音状態からフェードインするよう前記音声信号の音量を制御する手順と、
前記動画像信号および前記音声信号の符号化の進行状況に応じて所定の処理単位毎に前記オフセットを更新する手順と、
記録停止が指示されると前記音声信号および前記動画像信号の各記録単位の符号化がそれぞれ終了した後に符号化を停止する手順と、
前記符号化停止された前記音声信号の最後の記録単位についてフェードアウトするよう前記音声信号の音量を制御する手順と
をコンピュータに実行させることを特徴とするプログラム。
【発明の詳細な説明】
【技術分野】
【０００１】
本発明は、符号化制御装置および符号化システムに関し、特に動画像信号と音声信号とを同期させて符号化の制御を行う符号化制御装置、符号化システム、および、これらにおける処理方法ならびに当該方法をコンピュータに実行させるプログラムに関する。
【背景技術】
【０００２】
近年、動画像（ビデオ）データや音声（オーディオ）データを記録できる記録媒体として光ディスクが注目されている。この光ディスクは、映画などのコンテンツ商品のメディアとしてだけでなく、ユーザ側で記録を行うための書き込み型メディアとしても用いられるようになっている。書き込み型メディアとしては、例えば、同一領域について一度だけの記録を可能としたＤＶＤ−Ｒ規格や、繰り返し書き換え可能なＤＶＤ−ＲＷ規格などが知られている。これら光メディアのファイルフォーマットとしては、再生専用ディスクのためのＤＶＤ−Ｖｉｄｅｏ規格が知られているが、書き込み型メディアに対してもこのＤＶＤ−Ｖｉｄｅｏ規格に準拠した書き込みを行うことができるようになっている。
【０００３】
ＤＶＤ−Ｖｉｄｅｏ規格では、一つのディスク当たり最大９９のタイトルを記録できるようになっており、さらに各タイトルは最大９９のチャプタ（ＰＴＴ：Part of TiTle）を含むことができるようになっている。上述のＤＶＤ−ＲやＤＶＤ−ＲＷに対してカムコーダ（camcorder：camera and recorder）により記録を行う場合、記録開始から記録終了までの１回の記録単位がチャプタとして記録され、所定の条件を満たすまで同一のタイトルとして記録される。タイトルを閉じる所定の条件とは、例えば、ディスクがイジェクト（排出）された場合、タイトル内で９９チャプタに達した場合、タイトル内で９９セルに達した場合、動画記録から静止画記録に移行した場合などである。
【０００４】
このようにチャプタ単位で記録されたデータを再生すると、チャプタ間に微妙な隙間が生じてしまい、一瞬途切れたような表示が行われしまう。カムコーダにおける記録単位は十数秒から数十秒程度が標準的であり、その度に再生が途切れてしまうのは望ましくない。
【０００５】
そのため、従来より、ビデオストリーム間を見た目として途切れないように接続するシームレス接続の技術が提案されている（例えば、特許文献１参照。）。
【特許文献１】特開２００１−３５２５２１号公報（図２）
【発明の開示】
【発明が解決しようとする課題】
【０００６】
上述の従来技術では、ビデオデータとオーディオデータとの間のずれを吸収するために、オーディオデータをビデオデータに相当する時間分含めて多重化するよう制御している。例えば、ＮＴＳＣ（National Television System Committee）方式ではビデオデータのフレーム周波数は約２９．９７Ｈｚであり、１ＶＯＢＵ＝１ＧＯＰ＝１５フレームとすると、６４ＶＯＢＵで１／２９．９７×１５×６４＝３２．０３２０３２・・・［秒］に相当する。ＡＣ−３（Audio Code number 3; Dolby Digital）方式のオーディオデータは３２［ミリ秒］を処理単位（ＡＡＵ）としているため、上述の従来技術では、６４ＶＯＢＵに対して１ＡＡＵを増やし、さらに６４０００ＶＯＢＵに対して１ＡＡＵを増やすことによりビデオデータとオーディオデータとの間のずれを吸収するようにしている。
【０００７】
しかしながら、このような上述の従来技術ではビデオデータとオーディオデータとの間のずれを完全には吸収することができず、ずれが集積していくことになる。また、この上述の従来技術では、ビデオデータおよびオーディオデータの相当する時間が平均的に等しくなるようにしているに過ぎず、シームレス接続の接続点においてずれが生じるおそれは依然として存在する。
【０００８】
そこで、本発明は、ビデオデータとオーディオデータとの間のずれを生じることなくチャプタ間のシームレス接続を行う動画像符号化装置を提供することを目的とする。
【課題を解決するための手段】
【０００９】
上記課題を解決するために本発明の請求項１記載の符号化制御装置は、先行チャプタに続く後続チャプタを記録する際に動画像信号よりも音声信号の符号化を早く開始すべき時間に相当するオフセットを保持するオフセット保持手段と、少なくとも前記後続チャプタがタイトルの先頭チャプタか否かを判別することによって上記先行チャプタと上記後続チャプタとの間でシームレス接続が可能か否を判別し、上記シームレス接続が可能であれば上記後続チャプタの直前の上記オフセットを上記オフセットの初期値とし、上記シームレス接続が不可能であればゼロを上記オフセットの初期値として設定する記録モード判別手段と、上記動画像信号および上記音声信号の符号化の進行状況に応じて所定の処理単位毎に上記オフセットを更新するオフセット更新手段と、上記オフセットに従って上記動画像信号および上記音声信号の符号化の開始または停止を指示する記録制御手段とを具備する。これにより、動画像信号と音声信号との間のオフセットに従って符号化を制御して、動画像信号と音声信号との間のずれを生じることなくチャプタ間のシームレス接続を行うという作用をもたらす。
【００１０】
また、本発明の請求項２記載の符号化制御装置は、請求項１記載の符号化制御装置において、上記記録制御手段が、記録開始の際には上記オフセットに相当する時間だけ上記動画像信号よりも早く上記音声信号の符号化を開始し、記録停止の際には上記動画像信号および上記音声信号の各記録単位の符号化がそれぞれ終了した後に符号化を停止するものである。これにより、シームレス接続を行う後続チャプタの符号化開始の際に動画像信号と音声信号との間のずれをオフセットにより吸収するという作用をもたらす。
【００１１】
また、本発明の請求項３記載の符号化制御装置は、請求項１記載の符号化制御装置において、上記オフセット更新手段が、上記オフセットに対して上記動画像信号の処理単位毎の通知に基づいた値を加えるとともに上記音声信号の処理単位毎の通知に基づいた値を減じることにより上記オフセットを更新する。これにより、オフセットの更新を符号化の進行状況に応じて動画像信号の処理単位毎または音声信号の処理単位毎に行わせるという作用をもたらす。
【００１２】
また、本発明の請求項４記載の符号化制御装置は、請求項１記載の符号化制御装置において、上記音声信号の記録開始または記録停止の指示に従って上記音声信号の音量に関する制御を行うフェード制御手段をさらに具備する。これにより、シームレス接続の接続点における音量を制御させるという作用をもたらす。また、本発明の請求項５記載の符号化制御装置は、請求項４記載の符号化制御装置において、上記フェード制御手段が、記録開始時には消音状態からフェードインするよう上記音声信号の音量を制御し、記録停止時にはフェードアウトするよう上記音声信号の音量を制御するものである。これにより、シームレス接続の接続点における雑音の発生を回避させるという作用をもたらす。
【００１３】
また、本発明の請求項６記載の符号化制御装置は、請求項１記載の符号化制御装置において、上記後続チャプタの直前の上記オフセットが不揮発性メモリに保持されるものである。
【００１４】
また、本発明の請求項６記載の符号化システムは、動画像信号を符号化する動画像符号化手段と、音声信号を符号化する音声符号化手段と、先行チャプタに続く後続チャプタを記録する際に上記動画像信号よりも上記音声信号の符号化を早く開始すべき時間に相当するオフセットを保持するオフセット保持手段と、少なくとも上記後続チャプタがタイトルの先頭チャプタか否かを判別することによって上記先行チャプタと上記後続チャプタとの間でシームレス接続が可能か否を判別し、上記シームレス接続が可能であれば上記後続チャプタの直前の上記オフセットを上記オフセットの初期値とし、上記シームレス接続が不可能であればゼロを上記オフセットの初期値として設定する記録モード判別手段と、上記動画像符号化手段および音声符号化手段における上記動画像信号および上記音声信号の符号化の進行状況に応じて所定の処理単位毎に上記オフセットを更新するオフセット更新手段と、上記オフセットに従って上記動画像信号および上記音声信号の符号化の開始または停止を指示する記録制御手段と、上記動画像符号化手段および音声符号化手段による上記動画像信号および上記音声信号の符号化出力を多重化する多重化手段とを具備する。これにより、動画像信号と音声信号との間のオフセットに従って符号化を制御して、動画像信号と音声信号との間のずれを生じることなくチャプタ間のシームレス接続を行って符号化するという作用をもたらす。
【００１５】
また、本発明の請求項７記載の符号化制御方法は、先行チャプタに続く後続チャプタを記録する際に動画像信号よりも音声信号の符号化を早く開始すべき時間に相当するオフセットを保持するオフセット保持手段を備える符号化制御装置において、少なくとも上記後続チャプタがタイトルの先頭チャプタか否かを判別することによって前記先行チャプタと上記後続チャプタとの間でシームレス接続が可能か否を判別する手順と、上記シームレス接続が可能であれば上記先行チャプタにおいて更新された上記オフセットを上記オフセットの初期値とし、上記シームレス接続が不可能であればゼロを上記オフセットの初期値とする手順と、上記音声信号の符号化を開始する手順と、上記音声信号の符号化が開始されてから上記オフセットに相当する時間経過時に上記動画像信号の符号化を開始する手順と、上記動画像信号および上記音声信号の符号化の進行状況に応じて所定の処理単位毎に上記オフセットを更新する手順と、記録停止が指示されると上記音声信号および上記動画像信号の各記録単位の符号化がそれぞれ終了した後に符号化を停止する手順とを具備する。これにより、動画像信号と音声信号との間のオフセットに従って符号化を制御して、動画像信号と音声信号との間のずれを生じることなくチャプタ間のシームレス接続を行うという作用をもたらす。
【００１６】
また、本発明の請求項８記載の符号化制御方法は、先行チャプタに続く後続チャプタを記録する際に動画像信号よりも音声信号の符号化を早く開始すべき時間に相当するオフセットを保持するオフセット保持手段を備える符号化制御装置において、少なくとも上記後続チャプタがタイトルの先頭チャプタか否かを判別することによって上記先行チャプタと上記後続チャプタとの間でシームレス接続が可能か否を判別する手順と、上記シームレス接続が可能であれば上記先行チャプタにおいて更新された上記オフセットを上記オフセットの初期値とし、上記シームレス接続が不可能であればゼロを上記オフセットの初期値とする手順と、上記音声信号の符号化を開始する手順と、上記音声信号の符号化が開始されてから上記オフセットに相当する時間経過時に上記動画像信号の符号化を開始する手順と、上記符号化開始された上記音声信号の最初の記録単位について消音状態からフェードインするよう上記音声信号の音量を制御する手順と、上記動画像信号および上記音声信号の符号化の進行状況に応じて所定の処理単位毎に上記オフセットを更新する手順と、記録停止が指示されると上記音声信号および上記動画像信号の各記録単位の符号化がそれぞれ終了した後に符号化を停止する手順と、上記符号化停止された上記音声信号の最後の記録単位についてフェードアウトするよう上記音声信号の音量を制御する手順とを具備する。これにより、動画像信号と音声信号との間のオフセットに従って符号化を制御して、チャプタ間のシームレス接続の接続点における雑音の発生を回避させるという作用をもたらす。
【００１７】
また、本発明の請求項９記載のプログラムは、先行チャプタに続く後続チャプタを記録する際に動画像信号よりも音声信号の符号化を早く開始すべき時間に相当するオフセットを保持するオフセット保持手段を備える符号化制御装置において、少なくとも上記後続チャプタがタイトルの先頭チャプタか否かを判別することによって上記先行チャプタと上記後続チャプタとの間でシームレス接続が可能か否を判別する手順と、上記シームレス接続が可能であれば上記先行チャプタにおいて更新された上記オフセットを上記オフセットの初期値とし、上記シームレス接続が不可能であればゼロを上記オフセットの初期値とする手順と、上記音声信号の符号化を開始する手順と、上記音声信号の符号化が開始されてから上記オフセットに相当する時間経過時に上記動画像信号の符号化を開始する手順と、上記動画像信号および上記音声信号の符号化の進行状況に応じて所定の処理単位毎に上記オフセットを更新する手順と、記録停止が指示されると上記音声信号および上記動画像信号の各記録単位の符号化がそれぞれ終了した後に符号化を停止する手順とをコンピュータに実行させるものである。これにより、動画像信号と音声信号との間のオフセットに従って符号化を制御して、動画像信号と音声信号との間のずれを生じることなくチャプタ間のシームレス接続を行うという作用をもたらす。
【００１８】
また、本発明の請求項１０記載のプログラムは、先行チャプタに続く後続チャプタを記録する際に動画像信号よりも音声信号の符号化を早く開始すべき時間に相当するオフセットを保持するオフセット保持手段を備える符号化制御装置において、少なくとも上記後続チャプタがタイトルの先頭チャプタか否かを判別することによって上記先行チャプタと上記後続チャプタとの間でシームレス接続が可能か否を判別する手順と、上記シームレス接続が可能であれば上記先行チャプタにおいて更新された上記オフセットを上記オフセットの初期値とし、上記シームレス接続が不可能であればゼロを上記オフセットの初期値とする手順と、上記音声信号の符号化を開始する手順と、上記音声信号の符号化が開始されてから上記オフセットに相当する時間経過時に上記動画像信号の符号化を開始する手順と、上記符号化開始された上記音声信号の最初の記録単位について消音状態からフェードインするよう上記音声信号の音量を制御する手順と、上記動画像信号および上記音声信号の符号化の進行状況に応じて所定の処理単位毎に上記オフセットを更新する手順と、記録停止が指示されると上記音声信号および上記動画像信号の各記録単位の符号化がそれぞれ終了した後に符号化を停止する手順と、上記符号化停止された上記音声信号の最後の記録単位についてフェードアウトするよう上記音声信号の音量を制御する手順とをコンピュータに実行させるものである。これにより、動画像信号と音声信号との間のオフセットに従って符号化を制御して、チャプタ間のシームレス接続の接続点における雑音の発生を回避させるという作用をもたらす。
【発明の効果】
【００１９】
本発明によれば、ビデオデータとオーディオデータとの間のずれを生じることなくチャプタ間のシームレス接続を行う動画像符号化装置を提供するという優れた効果を奏し得る。
【発明を実施するための最良の形態】
【００２０】
次に本発明の実施の形態について図面を参照して詳細に説明する。
【００２１】
図１は、本発明の実施の形態における動画像符号化装置の構成例を示す図である。この動画像符号化装置は、動画像信号を符号化するビデオエンコーダ１００と、音声信号を符号化するオーディオエンコーダ２００と、ビデオエンコーダ１００およびオーディオエンコーダ２００の出力を多重化するマルチプレクサ３００と、マルチプレクサ３００により多重化されたストリームデータを記録媒体４９０に記録する媒体記録部４００と、ビデオエンコーダ１００およびオーディオエンコーダ２００における符号化を制御する符号化制御部５００とを備えている。
【００２２】
符号化制御部５００は、プロセッサ５１０と、ＲＯＭ５２０と、ＲＡＭ５３０と、入出力インターフェース５４０と、これらを相互に接続するバス５５０とを備えている。プロセッサ５１０は、ビデオエンコーダ１００およびオーディオエンコーダ２００における符号化の進行状況を参照しながら、ビデオエンコーダ１００およびオーディオエンコーダ２００における符号化の開始ならびに停止を制御する。ＲＯＭ５２０は、プロセッサ５１０により実行されるプログラムや各種パラメータ等を保持するメモリであり、例えば、フラッシュメモリ等のＥＰＲＯＭにより実現される。ＲＡＭ５３０は、プロセッサ５１０におけるプログラム実行に必要な作業データ等を保持するメモリであり、例えばＳＲＡＭやＤＲＡＭ等により実現される。入出力インターフェース５４０は、外部とのデータのやり取りを行うものであり、例えば、記録媒体４９０への記録の開始ならびに停止の指示やＲＯＭ５２０内のプログラムの更新等のために使用される。
【００２３】
図２は、本発明の実施の形態におけるオーディオエンコーダ２００の構成例を示す図である。このオーディオエンコーダ２００では、サンプリング回路２１０と、フェード回路２２０と、符号化器２３０とがパイプライン接続されており、サンプリング回路２１０とフェード回路２２０との間にはサンプリングバッファ２４０が、フェード回路２２０と符号化器２３０との間には符号化前バッファ２５０がそれぞれタイミングの緩衝のために接続されている。
【００２４】
サンプリング回路２１０は、信号線２０１から入力された音声信号をサンプリング（標本化）してサンプリングバッファ２４０に格納する。このサンプリング回路２１０におけるサンプリング周波数としては、例えば、ＤＶＤ−Ｖｉｄｅｏ規格で用いられるＡＣ−３の場合、４８ｋＨｚが使用される。この場合、サンプリング回路２１０は、図３に示すＡＣ−３方式の同期フレームの処理開始または処理終了の際に、信号線２１９により符号化制御部５００に対してその旨を通知する。
【００２５】
フェード回路２２０は、信号線２４９から供給される音声信号に対して音量の調整を行う。例えば、あるチャプタを記録する際に、チャプタの先頭部分では消音状態からフェードインし、チャプタ最後では再びフェードアウトするよう音量を調整する。この音量調整のタイミングは、信号線２２１を介して符号化制御部５００により指示される。
【００２６】
符号化器２３０は、信号線２５９から供給される音声信号を符号化して信号線２９９に出力する。この符号化処理を行うか否かは、信号線２３１を介して符号化制御部５００により制御される。
【００２７】
図３は、ＡＣ−３方式による音声信号の同期フレームの構造を示す図である。この同期フレームは、ＡＣ−３方式におけるビットストリームの処理単位であり、ＡＡＵ（Audio Access Unit）と呼ばれる。この同期フレームは、同期情報７１０と、ビットストリーム情報７１１と、６つのオーディオブロック７１２乃至７１７と、補助データ７１８と、ＣＲＣ（Cyclic Redundancy Check）７１９とを備える。
【００２８】
同期情報７１０は、同期フレームの第１のヘッダ情報であり、サンプリング周波数等を保持する。ビットストリーム情報７１１は、同期フレームの第２のヘッダ情報であり、時刻情報（タイムスタンプ）等を保持する。
【００２９】
オーディオブロック７１２乃至７１７の各々は、２５６個のオーディオサンプルを保持する。従って、１つのＡＡＵにおける６つのオーディオブロックで、１５３６個のオーディオサンプルを保持することになる。１５３６個のオーディオサンプルは、サンプリング周波数４８ｋＨｚで、１５３６／４８＝３２ｍｓ［ミリ秒］のオーディオデータに相当する。
【００３０】
補助データ７１８は、ビット長の調整のために用いられる。ＣＲＣ７１９は、同期フレームにおけるバースト誤りを検出するための巡回冗長検査符号である。
【００３１】
図４は、ＤＶＤ−Ｖｉｄｅｏ規格によるデータ構造を示す図である。記録媒体４９０の記録エリアは、ディスクの半径方向に見て、最内周側から順に、リードインエリア８０１、ファイル管理エリア８０２、データ記録エリア８０３、リードアウトエリア８０４の順に区分けされる。
【００３２】
ファイル管理エリア８０２は、リードインエリア側から、ＵＤＦ（Universal Disc Format）エリアおよびＶＭＧ（Video ManaGer）エリアを含む。これらＵＤＦエリアおよびＶＭＧエリアは、ＤＶＤに記録された画像データ等のファイルを管理する管理用情報の記録エリアである。ＵＤＦエリアは、ＵＤＦ規格とＩＳＯ９６６０規格をサポートすることにより、コンピュータでＤＶＤを読むことができるようにするためのものである。ＶＭＧエリアは、ＤＶＤ管理用情報の記録エリアである。
【００３３】
データ記録エリア８０３は、動画像信号や音声信号等を記録するエリアであり、ビデオタイトルセット（ＶＴＳ：Video Title Set）８１１と呼ばれるデータ群を単位として、データの記録がなされる。ビデオタイトルセット８２０の各々は、ビデオタイトルセット情報（ＶＴＳＩ：Video Title Set Information）８２１と、ビデオタイトルセットメニュー（ＶＴＳＭ＿ＶＯＢＳ：Video Object Set for the VTSM）８２２と、ビデオタイトルセットタイトル（ＶＴＳＴＴ＿ＶＯＢＳ：Video Object Set for Titles in a VTS）８２３と、バックアップ（ＶＴＳＩ（ＢＵＰ）：Back-UP of VTSI）８２４とからなる。
【００３４】
ビデオタイトルセット情報（ＶＴＳＩ）８２１は、ビデオタイトルセットに対する制御情報である。ビデオタイトルセットメニュー（ＶＴＳＭ＿ＶＯＢＳ）８２２は、ビデオタイトルセット内の各種メニューのためのコンテンツである。ビデオタイトルセットタイトル（ＶＴＳＴＴ＿ＶＯＢＳ）８２３は、タイトルを再生するためのコンテンツである。バックアップ（ＶＴＳＩ（ＢＵＰ））８２４は、ビデオタイトルセット情報８２１のバックアップコピーである。
【００３５】
ビデオタイトルセットタイトル（ＶＴＳＴＴ＿ＶＯＢＳ）８２３には、一または複数個のビデオオブジェクト（ＶＯＢ）８３１と呼ばれるオブジェクト集合が保持される。このＶＯＢ８３１には一または複数個のセル（Ｃｅｌｌ）８４１が含まれ、このセル８４１にはさらに一または複数個のビデオオブジェクト単位（ＶＯＢＵ）８５１が含まれる。このＶＯＢＵ８５１には、１ＧＯＰ（Group Of Picture）に相当する動画像信号やそれに対応する音声信号等が含まれる。動画像信号の符号化には、ＭＥＰＧ−２方式またはＭＰＥＧ−１方式が用いられる。音声信号の符号化には、ＡＣ−３方式、リニアＰＣＭ方式、ＭＰＥＧ Ａｕｄｉｏ方式等が用いられる。
【００３６】
動画オブジェクト単位（ＶＯＢＵ）８５１は、複数個のパック８６１から構成される。パック８６１は、一般に一または複数個のパケットからなるが、この例では、一つのパックは一つのパケットを含むものとしている。すなわち、１パックは、パケットの前にパックヘッダ８７１を付加したものであり、さらにパケットはパケットヘッダ８７２とデータ本体であるパケットデータ８７３とを備える。なお、ＤＶＤ−Ｖｉｄｅｏ規格では、１パックは２０４８バイト（１セクタに対応）と定められている。符号化された動画像信号や音声信号等は、各パックに分割されて保持される。
【００３７】
パックヘッダ８７１は、パックの開始を示すパック開始コード８８１のほか、システム時刻基準参照値（ＳＣＲ）８８２を含む。なお、ＭＰＥＧ−２ ＰＳでは２７ＭＨｚで時刻を示すため、このシステム時刻基準参照値（ＳＣＲ）８８２は、パックヘッダ８５１においては４２ビットで表現される。
【００３８】
パケットヘッダ８７２は、プライベート１・パケットに沿ったものであり、パケット開始コード８９１と、フラグ８９３と、ＰＴＳ８９５と、ＤＴＳ８９６と、その他のフィールド８９７を備える。パケット開始コード８９１はパケットの開始を示すものであり、ストリームを識別するストリーム識別子を含む。フラグ８９３は、ＰＴＳ８９５およびＤＴＳ８９６の存在を示すフラグを含む。すなわち、「１０」でＰＴＳ８９５のみ、「１１」でＰＴＳ８９５およびＤＴＳ８９６が存在することを示す。
【００３９】
ＰＴＳ８９５およびＤＴＳ８９６は、それぞれ再生出力のタイミングおよび復号のタイミングを示すタイムスタンプである。デコーダ側では、これらＰＴＳ８９５およびＤＴＳ８９６を参照することにより復号および再生出力を制御する。なお、これらＰＴＳ８９５およびＤＴＳ８９６は、パケットヘッダ８７２においてはそれぞれ３３ビットで表現される。上述のＡＣ−３方式におけるビットストリーム情報７１１におけるタイムスタンプは、ＰＴＳ８９５に反映される。なお、音声信号についてはＰＴＳとＤＴＳとが同じ値になるため、ＰＴＳ８９５のみが存在することになる。
【００４０】
図５は、本発明の実施の形態におけるシームレス接続の概念を示す図である。シームレス接続を行うためには、ビデオデータおよびオーディオデータがそれぞれ連続している必要があるが、両者の長さは必ずしも一致しておらず、接続点においてずれを生じる可能性がある。例えば、ビデオデータについてＮＴＳＣ方式が採用されているとすると、フレーム周波数が１０００／１００１×３０（≒２９．９７）Ｈｚであることから、その周期は約３３．３６７ｍｓとなる。一方、音声信号についてＡＣ−３方式が採用されているとすると、上述のように処理単位としてのＡＡＵはサンプリング周波数４８ｋＨｚで３２ｍｓとなる。従って、最大３２ｍｓ程度のずれが両者の間で生じ得ることになる。
【００４１】
そこで、本発明の実施の形態では、先行チャプタの記録停止時点でのビデオデータおよびオーディオデータのずれをオーディオオフセットとして記憶しておき、シームレス接続を行う後続チャプタの記録開始の際にそのオーディオオフセットに相当する時間だけオーディオデータの記録を早く開始することにより、両者のずれを吸収する。
【００４２】
また、先行チャプタのオーディオデータの最後の部分ではフェードアウトするようフェード回路２２０により音量が調整される。そして、後続チャプタの先頭部分ではオーディオオフセットに相当する間は無音状態を継続し、その後フェードインするようフェード回路２２０により音量が調整される。このフェードインおよびフェードアウトの遷移時間は不自然さを与えない程度に設定されるべきであり、例えば、サンプリング周波数４８ｋＨｚで６４サンプルとして１．３３ｍｓ程度に設定することができる。なお、無音状態の期間を設けずに速やかにフェードインするように制御しても構わない。この場合、再生時に、音声出力の方が動画像出力よりも多少早めに開始されることになる。
【００４３】
図６は、本発明の実施の形態における符号化制御部５００のプロセッサ５１０の機能構成例を示す図である。この機能構成例は、記録モード判別部５１１と、オフセット更新部５１２と、オフセット保持部５１３と、記録制御部５１４と、フェード制御部５１５とを備えている。なお、この例では、ＲＯＭ５２０に保持されたプログラムに従ってプロセッサ５１０が各機能を実現することを想定しているが、これらの機能はハードウェアにより実現してもよい。
【００４４】
オフセット保持部５１３は、オーディオオフセットを保持する。このオーディオオフセットは、ビデオデータとオーディオデータとの間のずれを示すものである。このオフセット保持部５１３は、オフセット更新部５１２によって更新される。まず、オフセット更新部５１２は、記録モード判別部５１１からの指示によりオフセット保持部５１３に初期値を設定する。また、オフセット更新部５１２は、ビデオエンコーダ１００またはオーディオエンコーダ２００から処理単位の処理開始ないし処理終了の通知を受けて、オフセット保持部５１３に保持される値を更新する。
【００４５】
例えば、動画像信号にＮＴＳＣ方式を採用した場合、上述の２９．９７Ｈｚにおける周期３３．３６７ｍｓを上述のＳＣＲ８８２（図４）の周波数である９０ｋＨｚに揃えると、
（１００１／（１０００×３０））×９００００＝１００１×３＝３００３
となる。また、音声信号にＡＣ−３方式を採用した場合、上述の４８ｋＨｚにおける周期３２ｍｓを同様に９０ｋＨｚに揃えると、
０．０３２×９００００＝２８８０
となる。
【００４６】
これらの値を処理単位として、オフセット更新部５１２はビデオエンコーダ１００から信号線１１９によって処理単位毎の通知を受けると値「３００３」をオフセット保持部５１３の値に加え、オーディオエンコーダ２００から信号線２１９によって処理単位毎の通知を受けると値「２８８０」をオフセット保持部５１３の値から差し引く。これにより、オフセット保持部５１３にはビデオデータおよびオーディオデータのずれを示すオーディオオフセットが保持されるようになる。なお、処理単位毎の通知のタイミングは、ビデオエンコーダ１００とオーディオエンコーダ２００との間で整合性が保たれていればよく、各処理単位の処理開始時でもよく、また、処理終了時であってもよい。
【００４７】
記録モード判別部５１１は、信号線５４９からチャプタの記録開始の指示を受けると、チャプタ間のシームレス接続が可能か否かを判別する。シームレス接続の条件としては、シームレス接続をしようとする後続チャプタがその属するタイトルの先頭チャプタでないこと、先行チャプタの最終ＶＯＢの再生時間が１．５秒未満でないこと、メディア上の配置に起因するシーク時間が許容範囲内であること、等がある。記録モード判別部５１１により判別されたシームレス接続の有無は、ＤＶＤのデータ記憶領域におけるＶＴＳＩ（Video Title Set Information）のＰＧＣＩ（ProGram Chain Information）におけるＣ＿ＰＢＩＴ（Cell PlayBack Information Table）内のシームレス・プレイバック・フラグ（seamless playback flag）に反映される。すなわち、シームレス接続を行う場合には後続チャプタのシームレス・プレイバック・フラグがオンに設定され、シームレス接続を行わない場合には後続チャプタのシームレス・プレイバック・フラグがオフに設定される。
【００４８】
また、記録モード判別部５１１は、シームレス接続可能であると判断した場合、ＲＡＭ５３０（またはＲＯＭ５２０）に保持されていた直前のオーディオオフセットをオフセット保持部５１３の初期値として設定する。一方、シームレス接続可能でないと判断した場合には、オフセット保持部５１３の初期値としてゼロを設定する。
【００４９】
記録制御部５１４は、信号線５４９によりチャプタの記録開始の指示を受けると、ビデオエンコーダ１００およびオーディオエンコーダ２００に対してそれぞれ信号線１３１および２３１により符号化の開始を指示する。このとき、記録制御部５１４は、オフセット保持部５１３に保持されたオーディオオフセットを参照し、図５のようにビデオデータよりもオーディオデータの方がオーディオオフセットに相当する時間だけ早く記録されるように符号化開始の指示を行う。また、記録制御部５１４は、信号線５４９により記録停止の指示を受けると、ビデオエンコーダ１００およびオーディオエンコーダ２００に対してそれぞれ信号線１３１および２３１により符号化の停止を指示する。このとき、ビデオエンコーダ１００およびオーディオエンコーダ２００において処理中の処理単位については最後まで処理を完遂させた上で処理を停止させる。また、記録制御部５１４は、これら符号化の開始および停止のタイミングをフェード制御部５１５に知らせる。
【００５０】
フェード制御部５１５は、記録制御部５１４から符号化の開始および停止のタイミングを知らされると、信号線２２１を介してフェード回路２２０による音量の調整を制御する。例えば、あるチャプタを記録する際に、チャプタの先頭部分では消音状態からフェードインし、チャプタ最後では再びフェードアウトするよう音量の調整を制御する。
【００５１】
図７は、本発明の実施の形態における処理タイミングの一例を示す図である。この例では、あるチャプタの記録中において、ビデオデータの第１２０番目のサイクルの途中で記録停止が指示され、その第１２０番目のサイクルの終了後にビデオデータの記録が停止している。
【００５２】
一方、オーディオデータから見ると、第１２５番目のＡＡＵの途中で記録停止が指示され、その第１２５番目のＡＡＵの終了後にビデオデータの記録が停止している。このオーディオデータのＡＡＵの数は、以下のように求めることができる。但し、ビデオデータのサイクル数をＮＶ、オーディオデータのＡＡＵの数をＮＡ、記録開始前のオーディオオフセットをＯＳとする。また、ＩＮＴ（ｘ）はｘの整数部分を表す。
ＮＡ＝ＩＮＴ（（ＮＶ×３００３＋ＯＳ）／２８８０）
【００５３】
オーディオエンコーダ２００は、図２に示したとおりパイプライン構造を想定しており、図７のように信号線２０１からサンプリング回路２１０に音声信号が入力された後に、順次、サンプリングバッファ２４０から信号線２４９を介してフェード回路２２０にサンプリングされたオーディオデータが供給され、次のサイクルに符号化前バッファ２５０から信号線２５９を介して符号化器２３０にオーディオデータが供給される。
【００５４】
次に本発明の実施の形態における動画像符号化装置の動作について図面を参照して説明する。
【００５５】
図８は、本発明の実施の形態における動画像符号化装置の処理手順の一例を示す図である。チャプタの記録開始の指示が信号線５４９からされると、記録モード判別部５１１はチャプタ間のシームレス接続が可能か否かを判別する（ステップＳ９０１）。そして、シームレス接続可能であると判断された場合（ステップＳ９０２）、ＲＡＭ５３０（またはＲＯＭ５２０）に保持されていた直前のオーディオオフセットがオフセット保持部５１３の初期値として設定される（ステップＳ９０３）。一方、シームレス接続可能でないと判断された場合には（ステップＳ９０２）、オフセット保持部５１３の初期値としてゼロが設定される（ステップＳ９０４）。
【００５６】
そして、記録制御部５１４の指示によりオーディオエンコーダ２００における符号化が開始され（ステップＳ９０５）、オフセット保持部５１３に保持されたオーディオオフセットに相当する時間が経過した際に（ステップＳ９０６）、再び記録制御部５１４の指示によりビデオエンコーダ１００における符号化が開始される（ステップＳ９０７）。これにより、ビデオデータよりもオーディオデータの方がオーディオオフセットに相当する時間だけ早く記録されるように符号化が開始する。
【００５７】
ビデオデータおよびオーディオデータの記録が継続している間にチャプタの記録停止の指示が信号線５４９からされると（ステップＳ９０８）、記録制御部５１４の指示によりビデオエンコーダ１００およびオーディオエンコーダ２００における符号化が停止して、記録が停止する（ステップＳ９０９）。この際、各処理単位の処理途中であれば、それぞれ処理単位の最後まで処理が完了した段階で記録が停止する。
【００５８】
図９は、本発明の実施の形態におけるオーディオオフセットの更新処理手順の一例を示す図である。チャプタの記録開始が指示されると、図８のステップＳ９０１乃至Ｓ９０４に示したようにオフセット保持部５１３にオーディオオフセットの初期値が設定される（ステップＳ９１１）。
【００５９】
これに続いて、図８のステップＳ９０５においてオーディオデータの符号化が開始されると、オーディオデータの処理単位であるＡＡＵの処理が開始ないし終了する度に（ステップＳ９１２）、オフセット保持部５１３の値から所定の値（上述の例では「２８８０」）が差し引かれる（ステップＳ９１３）。また、図８のステップＳ９０７においてビデオデータの符号化が開始されると、ビデオデータの処理単位である各サイクルの処理が開始ないし終了する度に（ステップＳ９１４）、オフセット保持部５１３の値に所定の値（上述の例では「３００３」）が加えられる（ステップＳ９１５）。これらの処理は記録が終了するまで繰り返される（ステップＳ９１６）。
【００６０】
そして、図８のステップＳ９０９においてビデオデータおよびオーディオデータの符号化が終了すると、オフセット保持部５１３に保持されていたオーディオオフセットの値はＲＡＭ５３０（またはＲＯＭ５２０）に保持される（ステップＳ９１７）。これにより、後続のチャプタを記録する際に、直前のオーディオオフセットの値を参照することが可能となる。
【００６１】
図１０は、本発明の実施の形態におけるオーディオデータの音量制御の処理手順の一例を示す図である。フェード制御部５１５は、各チャプタの先頭のＡＡＵについては（ステップＳ９２１）、消音（ミュート）状態から始めて（ステップＳ９２２）、フェードイン処理を行う（ステップＳ９２３）。但し、このステップＳ９２２の消音をすることなく速やかにステップＳ９２３のフェードイン処理を行ってもよい。
【００６２】
一方、フェード制御部５１５は、各チャプタの最後のＡＡＵについては（ステップＳ９２４）、そのＡＡＵの最終部分でフェードアウト処理を行う（ステップＳ９２５）。これにより、シームレス接続によって無音状態同士が接続されることになり、無用な雑音を発生することを回避できる。
【００６３】
このように、本発明の実施の形態では、チャプタ間のシームレス接続を行う際に、オフセット保持部５１３に保持されたオーディオオフセットを参照して、ビデオデータよりもオーディオデータの方がオーディオオフセットに相当する時間だけ早く記録されるように記録制御部５１４が符号化開始の指示を行う。これにより、ビデオデータとオーディオデータとの間のずれを生じることなくチャプタ間のシームレス接続を行うことができる。
【００６４】
なお、本発明の実施の形態では、動画像の再生方式としてＮＴＳＣ方式を例に説明したが、フレーム周波数２５ＨｚのＰＡＬ方式についても同様に適用することができる。この場合、その周期は４０ｍｓとなるため、９０ｋＨｚを単位とすれば、４０ｍｓ×９０ｋＨｚ＝３６００となる。従って、上述の「３００３」の代わりに「３６００」を使用することにより、本発明を適用することができる。
【００６５】
また、本発明の実施の形態では、音声の符号化方式としてＡＣ−３を例に説明したが、ＭＰＥＧ Ａｕｄｉｏ方式についても同様に適用することができる。この場合、ビットレートを３８４ｋｂｐｓ、サンプリング周波数を４８ｋＨｚ、圧縮モードをＬａｙｅｒ２とすれば、ＡＡＵの再生時間は２４ｍｓとなるため、９０ｋＨｚを単位とすれば、２４ｍｓ×９０ｋＨｚ＝２１６０となる。従って、上述の「２８８０」の代わりに「２１６０」を使用することにより、本発明を適用することができる。
【００６６】
なお、本発明の実施の形態は本発明を具現化するための一例を示したものであり、以下に示すように特許請求の範囲における発明特定事項とそれぞれ対応関係を有するが、これに限定されるものではなく本発明の要旨を逸脱しない範囲において種々の変形を施すことができる。
【００６７】
すなわち、請求項１において、オフセット保持手段は例えばオフセット保持部５１３に対応する。また、記録モード判別手段は例えば記録モード判別部５１１に対応する。また、オフセット更新手段は例えばオフセット更新部５１２に対応する。また、記録制御手段は例えば記録制御部５１４に対応する。
【００６８】
また、請求項４において、フェード制御手段は例えばフェード制御部５１５に対応する。
【００６９】
また、請求項７において、動画像符号化手段は例えばビデオエンコーダ１００に対応する。また、音声符号化手段は例えばオーディオエンコーダ２００に対応する。また、オフセット保持手段は例えばオフセット保持部５１３に対応する。また、記録モード判別手段は例えば記録モード判別部５１１に対応する。また、オフセット更新手段は例えばオフセット更新部５１２に対応する。また、記録制御手段は例えば記録制御部５１４に対応する。また、多重化手段は例えばマルチプレクサ３００に対応する。
【００７０】
また、請求項８および請求項１０において、オフセット保持手段は例えばオフセット保持部５１３に対応する。また、符号化制御装置は例えば符号化制御部５００に対応する。また、少なくとも後続チャプタがタイトルの先頭チャプタか否かを判別することによって先行チャプタと後続チャプタとの間でシームレス接続が可能か否を判別する手順は例えばステップＳ９０１に対応する。また、シームレス接続が可能であれば先行チャプタにおいて更新されたオフセットをオフセットの初期値とし、シームレス接続が不可能であればゼロをオフセットの初期値とする手順は例えばステップＳ９０２乃至Ｓ９０４に対応する。また、音声信号の符号化を開始する手順は例えばステップＳ９０５に対応する。また、音声信号の符号化が開始されてからオフセットに相当する時間経過時に動画像信号の符号化を開始する手順は例えばステップＳ９０６乃至Ｓ９０７に対応する。また、記録停止が指示されると音声信号および動画像信号の各記録単位の符号化がそれぞれ終了した後に符号化を停止する手順は例えばステップＳ９０８乃至Ｓ９０９に対応する。
【００７１】
また、請求項９および請求項１１において、オフセット保持手段は例えばオフセット保持部５１３に対応する。また、符号化制御装置は例えば符号化制御部５００に対応する。また、少なくとも後続チャプタがタイトルの先頭チャプタか否かを判別することによって先行チャプタと後続チャプタとの間でシームレス接続が可能か否を判別する手順は例えばステップＳ９０１に対応する。また、シームレス接続が可能であれば先行チャプタにおいて更新されたオフセットをオフセットの初期値とし、シームレス接続が不可能であればゼロをオフセットの初期値とする手順は例えばステップＳ９０２乃至Ｓ９０４に対応する。また、音声信号の符号化を開始する手順は例えばステップＳ９０５に対応する。また、符号化開始された音声信号の最初の記録単位について消音状態からフェードインするよう音声信号の音量を制御する手順は例えばステップＳ９２１乃至Ｓ９２３に対応する。また、音声信号の符号化が開始されてからオフセットに相当する時間経過時に動画像信号の符号化を開始する手順は例えばステップＳ９０６乃至Ｓ９０７に対応する。また、記録停止が指示されると音声信号および動画像信号の各記録単位の符号化がそれぞれ終了した後に符号化を停止する手順は例えばステップＳ９０８乃至Ｓ９０９に対応する。また、符号化停止された音声信号の最後の記録単位についてフェードアウトするよう音声信号の音量を制御する手順は例えばステップＳ９２４乃至Ｓ９２５に対応する。
【００７２】
なお、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。
【産業上の利用可能性】
【００７３】
本発明の活用例として、例えば動画像信号をＭＰＥＧ−２形式に符号化するとともに音声信号をＡＣ−３形式に符号化してＤＶＤに書込みを行う際に本発明を適用することができる。
【図面の簡単な説明】
【００７４】
【図１】本発明の実施の形態における動画像符号化装置の構成例を示す図である。
【図２】本発明の実施の形態におけるオーディオエンコーダ２００の構成例を示す図である。
【図３】ＡＣ−３方式による音声信号の同期フレームの構造を示す図である。
【図４】ＤＶＤ−Ｖｉｄｅｏ規格によるデータ構造を示す図である。
【図５】本発明の実施の形態におけるシームレス接続の概念を示す図である。
【図６】本発明の実施の形態における符号化制御部５００のプロセッサ５１０の機能構成例を示す図である。
【図７】本発明の実施の形態における処理タイミングの一例を示す図である。
【図８】本発明の実施の形態における動画像符号化装置の処理手順の一例を示す図である。
【図９】本発明の実施の形態におけるオーディオオフセットの更新処理手順の一例を示す図である。
【図１０】本発明の実施の形態におけるオーディオデータの音量制御の処理手順の一例を示す図である。
【符号の説明】
【００７５】
１００  ビデオエンコーダ
１０１、１１９、１３１、１９９、２１０、２１９、２２１、２３１、２４９、２５９、２９９、５４９  信号線
２００  オーディオエンコーダ
２１０  サンプリング回路
２２０  フェード回路
２３０  符号化器
２４０  サンプリングバッファ
２５０  符号化前バッファ
３００  マルチプレクサ
４００  媒体記録部
４９０  記録媒体
５００  符号化制御部
５１０  プロセッサ
５１１  記録モード判別部
５１２  オフセット更新部
５１３  オフセット保持部
５１４  記録制御部
５１５  フェード制御部
５２０  ＲＯＭ
５３０  ＲＡＭ
５４０  入出力インターフェース
５５０  バス
【図１】
0003675465.tif 000002
【図２】
0003675465.tif 000003
【図３】
0003675465.tif 000004
【図４】
0003675465.tif 000005
【図５】
0003675465.tif 000006
【図６】
0003675465.tif 000007
【図７】
0003675465.tif 000008
【図８】
0003675465.tif 000009
【図９】
0003675465.tif 000010
【図１０】
0003675465.tif 000011